(57)【要約】【課題】  着用違和感がなく、作業性の良いめがね型またはゴーグル型の保護具に簡易な検知器を取付け、簡易な検知回路で確実に作業員を保護できる保護具を提供しようとする。【解決手段】  従来の人の頭にかけるレーザ光線作業者用めがね又はゴーグル型保護具に変わって、透明体を支持するフロントと一対のテンプルとを有し、該揺動軸の回りの揺動に伴って該フロントの左右に形成された端面と一対の該テンプルの一端に形成された端面とが各々に離間／当接できる様になった保護具本体と、当接姿勢から離間姿勢になる様に前記保護具本体を付勢する付勢部材と、前記保護具本体の姿勢が前記当接姿勢か否かを検知できる検知器と、前記検知器の作用に従って前記当接姿勢か否かに対応する信号を出力する通信回路と、を備えるものとした。【選択図】    図１
2019181505.tif 000002
【特許請求の範囲】
【請求項１】
人の頭にかけるレーザ光線作業者用めがね又はゴーグル型保護具であって、
透明体と該透明体を支持するフロントと該フロントの左右に一端を各々に揺動軸の回りに揺動自在に支持される一対のテンプルとを有し、該揺動軸の回りの揺動に伴って該フロントの左右に形成された端面であるフロント端面と一対の該テンプルの一端に形成された端面であるテンプル端面とが各々に離間／当接できる様になった保護具本体と、
前記フロント端面と前記テンプル端面とが当接する姿勢である当接姿勢から前記フロント端面と前記テンプル端面とが離間する姿勢である離間姿勢になる様に前記保護具本体を付勢する付勢部材と、
前記保護具本体の姿勢が前記当接姿勢か否かを検知できる検知器と、
前記検知器の作用に従って前記当接姿勢か否かに対応する信号を出力する通信回路と、
を備えることを特徴とするレーザ光線作業者用めがね又はゴーグル型保護具。
【請求項２】
前記検知器が前記フロント端面または前記テンプル端面の何方か一方の端面に設けられる釦スイッチを有し、
姿勢を前記離間姿勢から前記当接姿勢に変化するとき前記フロント端面または前記テンプル端面の何方か他方の端面が前記釦スイッチの釦を押して前記釦スイッチの内部回路をオン／オフする、
ことを特徴とする請求項１に記載のレーザ光線作業者用めがね又はゴーグル型保護具。
【請求項３】
前記端面に埋込まれて設けられる前記釦スイッチを被覆する柔軟性材料でできた被覆部材と
を備える、
ことを特徴とする請求項２に記載のレーザ光線作業者用めがね又はゴーグル型保護具。
【請求項４】
人の頭にかけるレーザ光線作業者用めがね又はゴーグル型保護具であって、
透明体と該透明体を支持するフロントと該フロントの左右に一端を各々に揺動軸の回りに揺動自在に支持される一対のテンプルとを有し、該揺動軸に回りの揺動に伴って該フロントの左右に形成された端面であるフロント端面と一対の該テンプルの一端に形成された端面であるテンプル端面とが各々に離間／当接できる様になった保護具本体と、
前記フロント端面と前記テンプル端面とが当接する姿勢を当接姿勢と前記フロント端面と前記テンプル端面とが離間する姿勢を離間姿勢と呼称するとき前記保護具本体の姿勢が前記当接姿勢か否かを検知できる検知器と、
前記検知器の作用に従って前記当接姿勢か否かに対応する信号を出力する通信回路と、
を備え、
前記検知器が前記フロント端面または前記テンプル端面の何方か一方の端面に設けられる釦スイッチを有し、
姿勢を前記離間姿勢から前記当接姿勢に変化するとき前記フロント端面または前記テンプル端面の何方か他方の端面が前記釦スイッチの釦を押して前記釦スイッチの内部回路をオン／オフする、
ことを特徴とするレーザ光線作業者用めがね又はゴーグル型保護具。
【請求項５】
前記端面に埋込まれて設けられる前記釦スイッチを被覆する柔軟性材料でできた被覆部材と
を備える、
ことを特徴とする請求項４に記載のレーザ光線作業者用めがね又はゴーグル型保護具。
【発明の詳細な説明】
【技術分野】
【０００１】
本発明は、レーザ光線を持ちいる作業者が装着するレーザ光線作業者用めがね又はゴーグル型保護具に係る。
【背景技術】
【０００２】
被加工物を加工するのにレーザ加工装置が用いられる場合がある。
例えば、被加工物を溶接加工するのにレーザ加工装置が用いられる。
例えば、被加工物を溶解するのにレーザ加工装置が用いられる。
例えば、被加工物を加熱するのにレーザ加工装置が用いられる。
例えば、被加工物を切断するのにレーザ加工装置が用いられる。
一般的なレーザ光加工では、レーザ光を集光レンズにより集光し、その焦点部近傍に部材を位置づけて加工される。従って、そのレーザ光による加工点のエネルギー密度は高く、極小点に限られる。このことは、熱影響が少ない微細、小域の加工例えば金属切断、深溶け込み溶接等に適している。
【０００３】
例えば、作業者がレーザ照射するためのトーチボデイをもち、被加工箇所にレーザを照射する。
作業では、レーザ光線から目を保護するため、作業者はレーザ光線作業者用保護具を装着する。
レーザ光線作業者用保護具には、顔全面マスク（ヘルメット）型、ゴーグル型、めがね型がある。
作業者は、レーザ光線作業者用保護具を外して、レーザ加工の段取り作業をすることがある。
作業者がレーザ光線作業者用保護具を外しているときに、何らかの理由によりレーザ光線が発射されると、作業員が負傷する可能性がある。
従って、不用意に発射されたレーザ光線の目に対する障害を防御する手段を確立することが求められる。
【０００４】
従来技術として、レーザ光線作業者用保護具の着用を確認した後でレーザ光線を発射する保護具があるが、取り扱いにくい。
【０００５】
また、保護具にセットされている通信回路がレーザ発振器まで有線で接続されており、作業時に信号電線路の取り回しが煩雑で、作業性を阻害することがある。
【０００６】
また、ヘルメット型保護具に着用を検知するセンサを付けたものが提供されているが、めがね型やゴーグル型に比べて視界が狭い等の不具合がある。
【発明の概要】
【発明が解決しようとする課題】
【０００７】
本発明は以上に述べた問題点に鑑み案出されたもので、着用違和感がなく、作業性の良いめがね型またはゴーグル型の保護具に簡易な検知器を取付け、簡易な通信回路で確実に作業員を保護できる保護具を提供しようとする。
【課題を解決するための手段】
【０００８】
上記目的を達成するため、人の頭にかけるレーザ光線作業者用めがね又はゴーグル型保護具を、透明体と該透明体を支持するフロントと該フロントの左右に一端を各々に揺動軸の回りに揺動自在に支持される一対のテンプルとを有し、該揺動軸の回りの揺動に伴って該フロントの左右に形成された端面であるフロント端面と一対の該テンプルの一端に形成された端面であるテンプル端面とが各々に離間／当接できる様になった保護具本体と、前記フロント端面と前記テンプル端面とが当接する姿勢である当接姿勢から前記フロント端面と前記テンプル端面とが離間する姿勢である離間姿勢になる様に前記保護具本体を付勢する付勢部材と、前記保護具本体の姿勢が前記当接姿勢か否かを検知できる検知器と、前記検知器の作用に従って前記当接姿勢か否かに対応する信号を出力する通信回路と、を備えるものとした。
【０００９】
上記本発明の構成により、保護具本体が、透明体と該透明体を支持するフロントと該フロントの左右に一端を各々に揺動軸の回りに揺動自在に支持される一対のテンプルとを有し、該揺動軸の回りの揺動に伴って該フロントの左右に形成された端面であるフロント端面と一対の該テンプルの一端に形成された端面であるテンプル端面とが各々に離間／当接できる様になったものである。付勢部材が、前記フロント端面と前記テンプル端面とが当接する姿勢である当接姿勢から前記フロント端面と前記テンプル端面とが離間する姿勢である離間姿勢になる様に前記保護具本体を付勢する。検知器が、前記保護具本体の姿勢が前記当接姿勢か否かを検知できる。通信回路が、前記検知器の作用に従って前記当接姿勢か否かに対応する信号を出力する。
その結果、保護具本体を人の頭にかけているか否かを判定でき、保護具本体を人の頭にかけたときにレーザ光線の発射を許し、保護具本体を人の頭にかけていないときにレーザ光線の発射を禁止することが可能になる。
【００１０】
以下に、本発明の実施形態に係るレーザ光線作業者用めがね又はゴーグル型保護具を説明する。本発明は、以下に記載した実施形態のいずれか、またはそれらの中の二つ以上が組み合わされた態様を含む。
【００１１】
本発明の実施形態に係るレーザ光線作業者用めがね又はゴーグル型保護具は、前記検知器が前記フロント端面または前記テンプル端面の何方か一方の端面に設けられる釦スイッチを有し、姿勢を前記離間姿勢から前記当接姿勢に変化するとき前記フロント端面または前記テンプル端面の何方か他方の端面が前記釦スイッチの釦を押して前記釦スイッチの内部回路をオン／オフする。
上記の実施形態の構成により、前記検知器の釦スイッチが、前記フロント端面または前記テンプル端面の何方か一方の端面に設けられる。姿勢を前記離間姿勢から前記当接姿勢に変化するとき前記フロント端面または前記テンプル端面の何方か他方の端面が前記釦スイッチの釦を押して前記釦スイッチの内部回路をオン／オフする。
その結果、簡易な構造で確実に保護具本体を人の頭にかけているか否かを判定でき、保護具本体を人の頭にかけたときにレーザ光線の発射を許し、保護具本体を人の頭にかけていないときにレーザ光線の発射を禁止することが可能になる。
【００１２】
本発明の実施形態に係るレーザ光線作業者用めがね又はゴーグル型保護具は、前記端面に埋込まれて設けられる前記釦スイッチを被覆する柔軟性材料でできた被覆部材とを備える、
上記の実施形態の構成により、柔軟性材料でできた被覆部材が、前記端面に埋込まれて設けられる前記釦スイッチを被覆する。
その結果、人の汗等で前記釦スイッチが誤作動するのを抑制でき、簡易な構造で確実に保護具本体を人の頭にかけているか否かを判定でき、保護具本体を人の頭にかけたときにレーザ光線の発射を許し、保護具本体を人の頭にかけていないときにレーザ光線の発射を禁止することが可能になる。
【００１３】
上記目的を達成するため、人の頭にかけるレーザ光線作業者用めがね又はゴーグル型保護具を、透明体と該透明体を支持するフロントと該フロントの左右に一端を各々に揺動軸の回りに揺動自在に支持される一対のテンプルとを有し、該揺動軸の回りの揺動に伴って該フロントの左右に形成された端面であるフロント端面と一対の該テンプルの一端に形成された端面であるテンプル端面とが各々に離間／当接できる様になった保護具本体と、前記フロント端面と前記テンプル端面とが当接する姿勢を当接姿勢と前記フロント端面と前記テンプル端面とが離間する姿勢を離間姿勢と呼称するときに前記保護具本体の姿勢が前記当接姿勢か否かを検知できる検知器と、前記検知器の作用に従って前記当接姿勢か否かに対応する信号を出力する通信回路と、を備え、前記検知器が前記フロント端面または前記テンプル端面の何方か一方の端面に設けられる釦スイッチを有し、姿勢を前記離間姿勢から前記当接姿勢に変化するとき前記フロント端面または前記テンプル端面の何方か他方の端面が前記釦スイッチの釦を押して前記釦スイッチの内部回路をオン／オフする、ものとした。
【００１４】
上記本発明の構成により、保護具本体が、透明体と該透明体を支持するフロントと該フロントの左右オン／オフに一端を各々に揺動軸の回りに揺動自在に支持される一対のテンプルとを有し、該揺動軸の回りの揺動に伴って該フロントの左右に形成された端面であるフロント端面と一対の該テンプルの一端に形成された端面であるテンプル端面とが各々に離間／当接できる様になったものである。前記フロント端面と前記テンプル端面とが当接する姿勢を当接姿勢と、前記フロント端面と前記テンプル端面とが離間する姿勢を離間姿勢と呼称するとき、検知器が、前記保護具本体の姿勢が前記当接姿勢か否かを検知できる。通信回路が、前記検知器の作用に従って前記当接姿勢か否かに対応する信号を出力する。前記検知器の釦スイッチが、前記フロント端面または前記テンプル端面の何方か一方の端面に設けられる。姿勢を前記離間姿勢から前記当接姿勢に変化するとき前記フロント端面または前記テンプル端面の何方か他方の端面が前記釦スイッチの釦を押して前記釦スイッチの内部回路をオン／オフする。
その結果、保護具本体を人の頭にかけているか否かを判定でき、保護具本体を人の頭にかけたときにレーザ光線の発射を許し、保護具本体を人の頭にかけていないときにレーザ光線の発射を禁止することが可能になる。
【００１５】
本発明の実施形態に係るレーザ光線作業者用めがね又はゴーグル型保護具は、前記端面に埋込まれて設けられる前記釦スイッチを被覆する柔軟性材料でできた被覆部材と、を備える、
上記の実施形態の構成により、柔軟性材料でできた被覆部材が、前記端面に埋込まれて設けられる前記釦スイッチを被覆する。
その結果、人の汗等で前記釦スイッチが誤作動するのを抑制でき、簡易な構造で確実に保護具本体を人の頭にかけているか否かを判定でき、保護具本体を人の頭にかけたときにレーザ光線の発射を許し、保護具本体を人の頭にかけていないときにレーザ光線の発射を禁止することが可能になる。
【発明の効果】
【００１６】
以上説明したように、本発明に係るレーザ光線作業者用めがね又はゴーグル型保護具は、その構成により、以下の効果を有する。
透明体を支持するフロントの左右に形成されるフロント端面と一対のテンプルの一端に形成されたテンプル端面とが揺動軸の回りの揺動に従って離間／当接でき、付勢部材が当接姿勢から離間姿勢になる様に付勢し、検知器が当接姿勢であるか否かを検知でき、通信回路が前記検知器の作用に従って前記当接姿勢か否かに対応する信号を出力する様にしたので、保護具本体を人の頭にかけているか否かを判定でき、判定結果をレーザ加工機に送ることで保護具本体を人の頭にかけたときにレーザ光線の発射を許し、保護具本体を人の頭にかけていないときにレーザ光線の発射を禁止することが可能になる。
また、前記当接姿勢のときフロント端面またはテンプル端面の一方が前記釦スイッチの釦を押して前記釦スイッチの内部回路をオン／オフする様にしたので、簡易な構造で確実に保護具本体を人の頭にかけているか否かを判定でき、判定結果をレーザ加工機に送ることで保護具本体を人の頭にかけたときにレーザ光線の発射を許し、保護具本体を人の頭にかけていないときにレーザ光線の発射を禁止することが可能になる。
また、柔軟性材料で前記端面に埋込まれて設けられる前記釦スイッチを被覆する様にしたので、人の汗等で前記釦スイッチが誤作動するのを抑制でき、簡易な構造で確実に保護具本体を人の頭にかけているか否かを判定でき、判定結果をレーザ加工機に送ることで保護具本体を人の頭にかけたときにレーザ光線の発射を許し、保護具本体を人の頭にかけていないときにレーザ光線の発射を禁止することが可能になる。
透明体を支持するフロントの左右に形成されるフロント端面と一対のテンプルの一端に形成されたテンプル端面とが揺動軸の回りの揺動に従てで離間／当接でき、通信回路が前記検知器の作用に従って前記当接姿勢か否かに対応する信号を出力し、前記当接姿勢のときフロント端面またはテンプル端面の一方が前記釦スイッチの釦を押して前記釦スイッチの内部回路をオン／オフする様にしたので、簡易な構造で確実に保護具本体を人の頭にかけているか否かを判定でき、判定結果をレーザ加工機に送ることで保護具本体を人の頭にかけたときにレーザ光線の発射を許し、保護具本体を人の頭にかけていないときにレーザ光線の発射を禁止することが可能になる。
また、柔軟性材料で前記端面に埋込まれて設けられる前記釦スイッチを被覆する様にしたので、人の汗等で前記釦スイッチが誤作動するのを抑制でき、簡易な構造で確実に保護具本体を人の頭にかけているか否かを判定でき、判定結果をレーザ加工機に送ることで保護具本体を人の頭にかけたときにレーザ光線の発射を許し、保護具本体を人の頭にかけていないときにレーザ光線の発射を禁止することが可能になる。
従って、着用違和感がなく、作業性の良いめがね型またはゴーグル型の保護具に簡易な検知器を取付け、簡易な通信回路で確実に作業員を保護できる保護具を提供できる。
【図面の簡単な説明】
【００１７】
【図１】本発明の実施形態に係るレーザ加工システムの全体断面図である。
【図２】本発明の実施形態に係るレーザ光線作業者用めがね又はゴーグル型保護具の概念図である。
【図３】本発明の実施形態に係るレーザ光線作業者用めがね又はゴーグル型保護具の部分拡大図である。
【図４】本発明の実施形態に係るレーザ光線作業者用めがね又はゴーグル型保護具の使用説明図である。
【発明を実施するための形態】
【００１８】
以下、本発明を実施するための形態に係るレーザ加工システムを、図面を参照して、説明する。
図１は、本発明の実施形態に係るレーザ加工システムの全体断面図である。
レーザ加工システムは、レーザ光線作業者用めがね又はゴーグル型保護具１００とレーザ加工装置２００とで構成される。
【００１９】
レーザ光線作業者用めがね又はゴーグル型保護具１００は、人の頭にかけて、レーザ光線による目の損傷を防止する保護具である。
【００２０】
レーザ加工装置２００は、レーザ発振器２１０とレーザ導光ケーブル２２０と加工ヘッド２３０と通信器２４０とで構成される。
レーザ発振器２１０は、レーザ光を発振する機器である。
レーザ発振器２１０は、ファイバレーザ発振器であってもよい。
レーザ発振器２１０は、炭酸ガスレーザ発振器であってもよい。
レーザ導光ケーブル２２０は、レーザ発振器の発振したレーザ光をトーチに導く機器である。
レーザ導光ケーブル２２０は、伝送用ファイバとその他とで構成されてもよい。
伝送用ファイバは、レーザ光を導く光ファイバである。
加工ヘッド２３０は、レーザ導光ケーブルの導いたレーザ光を被加工物に照射する器具である。加工ヘッド２３０は先端にトーチを持つ。
レーザ加工は、溶接、加熱、溶融、切断、等の加工である。
通信器２４０は、レーザ光線作業者用めがね又はゴーグル型保護具１００と通信できる器具である。
レーザ加工装置２００は、通信器２４０が受信する信号に応じてレーザ光線の発射を許したり、禁止したりする。
【００２１】
本発明の実施形態に係るレーザ光線作業者用めがね又はゴーグル型保護具１００を、詳述する。
図２は、本発明の実施形態に係るレーザ光線作業者用めがね又はゴーグル型保護具の概念図である。図３は、本発明の実施形態に係るレーザ光線作業者用めがね又はゴーグル型保護具の部分拡大図である。図４は、本発明の実施形態に係るレーザ光線作業者用めがね又はゴーグル型保護具の作用説明図である。
以下では、説明の便宜上、レーザ加工機はファーバレーザ加工装置であるとして、説明する。
【００２２】
レーザ光線作業者用めがね又はゴーグル型保護具１００は、保護具本体１１０と検知器１３０と通信回路１５０とで構成される。
レーザ光線作業者用めがね又はゴーグル型保護具１００は、保護具本体１１０と付勢部材１２０と検知器１３０と通信回路１５０とで構成されてもよい。
レーザ光線作業者用めがね又はゴーグル型保護具１００は、保護具本体１１０と検知器１３０と被覆部材１４０と通信回路１５０とで構成されてもよい。
レーザ光線作業者用めがね又はゴーグル型保護具１００は、保護具本体１１０と付勢部材１２０と検知器１３０と被覆部材１４０と通信回路１５０とで構成されてもよい。
【００２３】
保護具本体１１０は、透明体１１１とフロント１１２と一対のテンプル１１３とで構成される。
【００２４】
透明体１１１は、レーザ光線から人の目を保護できるレンズ型の透明部材である。
透明体１１１は、レーザ光線から人の目を保護できるレンズ型の有色透明部材であってもよい。
【００２５】
フロント１１２は、透明体１１１を支持できる部材である。
例えば、フロント１１２は、左右一対の透明体１１１を支持できる部材である。
後述する揺動軸１１４に係合する部分が、プロント１１２の左右に形成される。
フロント１１２の内側が、顔の面に向く。
後述するフロント端面Ｓ１がフロント１１２の内側の左右に形成される。
【００２６】
テンプル１１３は、フロント１１２の左右に一端を各々に揺動軸１１４の回りに揺動自在に支持される部材である。
後述するテンプル端面Ｓ２が、テンプル１１３の一端に形成される。
後述する揺動軸１１４に係合する部分がのがテンプル１１３の一端に形成される。
一対のフロント１１２の一端とテンプル１１３の左右とが各々に揺動軸１１４で揺動自在に結合される。
【００２７】
揺動軸１１４は、フロント１１２の左右と一対のテンプル１１２の一端とを揺動自在に連結する軸である。
揺動軸１１４の回りの揺動に伴って、フロント１１２の左右に形成された端面であるフロント端面と一対のテンプル１１３の一端に形成された端面であるテンプル端面とが各々に離間／当接できる。
【００２８】
付勢部材１２０は、フロント端面とテンプル端面とが当接する姿勢を当接姿勢と、フロント端面とテンプル端面とが離間する姿勢を離間姿勢と呼称するときに、当接姿勢から離間姿勢になる様に保護具本体１００を付勢する部性である。
付勢部材１２０は、姿勢が当接姿勢であるときに、当接姿勢から離間姿勢になる様に保護具本体１００を付勢してもよい。
付勢部材１２０は、フロント１１２とテンプル１１３とに掛け渡される弾性ばね１２１であってもよい。
弾性ばね１２１の弾性力が、当接姿勢から離間姿勢になる様に保護具本体１００を付勢する。
図３に、フロント１１２とテンプル１１３との掛け渡される弾性ばね１２１が示される。
【００２９】
検知器１３０は、保護具本体の姿勢が当接姿勢か否かを検知できるものである。
検知器１３０が、フロント端面Ｓ１またはテンプル端面Ｓ２の何方か一方の端面に設けられる釦スイッチ１３１で構成されてもよい。
例えば、検知器１３０は、釦スイッチ１３１とセンサケーブル１３２と駆動回路１３３とで構成される。
釦スイッチ１３１の釦が、フロント端面Ｓ１またはテンプル端面Ｓ２の何方か他方の端面に向く。
姿勢を離間姿勢から当接姿勢に変化するときフロント端面Ｓ１またはテンプル端面Ｓ２の何方か他方の端面が釦スイッチ１３１の釦を押して釦スイッチ１３１の内部回路をオン／オフする。
姿勢を当接姿勢から離間姿勢に変化するときフロント端面Ｓ１またはテンプル端面Ｓ２の何方か他方の端面が釦スイッチ１３１の釦から離れて釦スイッチ１３１の内部回路をオン／オフする。
例えば、姿勢を離間姿勢から当接姿勢に変化するときフロント端面Ｓ１が釦スイッチ１３１の釦を押して釦スイッチ１３１の内部回路をオン／オフする。
例えば、姿勢を当接姿勢から離間姿勢に変化するときフロント端面が釦スイッチ１３１の釦から離れて釦スイッチの内部回路をオン／オフする。
図３に、テンプル端面Ｓ２に設けられる釦スイッチ１３１が示される。
姿勢を離間姿勢から当接姿勢に変化するときフロント端面Ｓ１が釦スイッチ１３１の釦を押して釦スイッチの内部回路をオン／オフする、
姿勢を当接姿勢から離間姿勢に変化するときフロント端面Ｓ１が釦スイッチ１３１の釦から離れて釦スイッチ１３１の内部回路をオン／オフする。
駆動回路１３３は、電源をもち、釦スイッチ１３１の内部回路のオン／オフをセンサケーブル１３２を介して検知してオン／オフに対応する信号を後述する通信回路１５０へ送る。
【００３０】
被覆部材１４０は、柔軟性材料ででき、端面に埋込まれて設けられる釦スイッチを被覆する部材である。
例えば、被覆部材１４０は、弾性樹脂材でできており、テンプル端面Ｓ２に埋込まれて設けられる釦スイッチを被覆する。
【００３１】
通信回路１５０は、検知器１３０の作用に従って当接姿勢か否かに対応する信号を出力する回路である。
信号は、オン／オフ信号であってもよい。
例えば、通信回路１５０は、検知器１３０の作動に応じて、フォロント端面Ｓ１とテンプル欄面Ｓ２とが当接するときにオン信号を出力し、フォロント端面Ｓ１とテンプル欄面Ｓ２とが離間しているときにオフ信号を出力する。
例えば、通信回路１５０は、検知器１３０の作動に応じて、フォロント端面Ｓ１とテンプル欄面Ｓ２とが当接するときにオフ信号を出力し、フォロント端面Ｓ１とテンプル欄面Ｓ２とが離間しているときにオン信号を出力する。
通信回路１５０は、信号を通信部２４０に送信する。
通信回路１５０は、オン／オフ信号を通信部２４０に送信する。
通信回路１５０は、オン／オフ信号を通信部２４０に有線送信してもよい。
通信回路１５０は、オン／オフ信号を通信部２４０に無線送信してもよい。
【００３２】
以下に、本発明の実施形態にかかるレーザ光線作業者用めがね又はゴーグル型保護具の作用を説明する。
図４は、本発明の実施形態に係るレーザ光線作業者用めがね又はゴーグル型保護具の作用説明図である。
レーザ加工に従事する作業員が、レーザ光線作業者用めがね又はゴーグル型保護具を頭にかける。
検知器１３０が、フロント端面Ｓ１とテンプル端面Ｓ２とが当接することを意味するオン／オフ信号を出力する。
通信回路１５０が、レーザ光線作業者用めがね又はゴーグル型保護具を頭にかけていることを意味するオン信号またはオフ信号を無線で通信器２４０へ送る。
レーザ加工機２００は、特定箇所Ｋが側頭部に接していることを意味するオン／オフ信号を受信する。
作業員が、加工ヘッド２３０のスイッチを押すと加工ヘッドからレーザ光線が発射される。
作業員が、レーザ加工を終了すると、加工ヘッド２３０のスイッチをはなす。加工ヘッドから発射するレーザ光線が停止する。
【００３３】
作業員が、レーザ光線作業者用めがね又はゴーグル型保護具を頭から外す。
付勢部材１２０がフロント端面Ｓ１とテンプル端面Ｓ２とが離間する様に保護具品体１１０を付勢する。
検知器１３０が、姿勢が当接姿勢でないことを検知する。
通信回路１５０は、レーザ光線作業者用めがね又はゴーグル型保護具を頭にかけていないことを意味するオン／オフ信号を無線で通信器２４０へ送る。
レーザ加工機２００は、レーザ光線作業者用めがね又はゴーグル型保護具を頭にかけていないこと意味するオン／オフ信号を受信する。
加工ヘッドのスイッチが押されても、加工ヘッドからレーザ光線が発射されない。
その結果、作業員がレーザ光線作業者用めがね又はゴーグル型保護具１００を装着しないときレーザ光線により目を損傷することを防止できる。
【００３４】
本発明の実施形態に係るレーザ光線作業者用めがね又はゴーグル型保護具は、その構成により、以下の効果を有する。
透明体１１１を支持するフロント１１２の左右に形成されるフロント端面Ｓ１と一対のテンプル１１３の一端に形成されたテンプル端面Ｓ２とが揺動軸１１４の回りの揺動に従って離間／当接でき、弾性ばね１２１が当接姿勢から離間姿勢になる様に付勢し、釦スイッチ１３１が当接姿勢であるか否かを検知でき、通信回路が釦スイッチ１３１の作用に従って当接姿勢か否かに対応する信号を出力する様にしたので、保護具本体を人の頭にかけているか否かを判定でき、判定結果をレーザ加工機に送ることで保護具本体を人の頭にかけたときにレーザ光線の発射を許し、保護具本体を人の頭にかけていないときにレーザ光線の発射を禁止することが可能になる。
また、当接姿勢のときフロント端面Ｓ１またはテンプル端面Ｓ２の一方が釦スイッチの釦を押して釦スイッチの内部回路をオン／オフする様にしたので、簡易な構造で確実に保護具本体を人の頭にかけているか否かを判定でき、保護具本体を人の頭にかけたときにレーザ光線の発射を許し、判定結果をレーザ加工機に送ることで保護具本体を人の頭にかけていないときにレーザ光線の発射を禁止することが可能になる。
また、柔軟性材料で端面に埋込まれて設けられる釦スイッチを被覆する様にしたので、人の汗等で釦スイッチが誤作動するのを抑制でき、簡易な構造で確実に保護具本体を人の頭にかけているか否かを判定でき、判定結果をレーザ加工機に送ることで保護具本体を人の頭にかけたときにレーザ光線の発射を許し、保護具本体を人の頭にかけていないときにレーザ光線の発射を禁止することが可能になる。
透明体１１１を支持するフロント１１２の左右に形成されるフロント端面Ｓ１と一対のテンプル１１３の一端に形成されたテンプル端面Ｓ２とが揺動軸１１４の回りの揺動に従てで離間／当接でき、通信回路が釦スイッチ１３１の作用に従って当接姿勢か否かに対応する信号を出力し、当接姿勢のときフロント端面Ｓ１またはテンプル端面Ｓ２の一方が釦スイッチの釦を押して釦スイッチの内部回路をオン／オフする様にしたので、簡易な構造で確実に保護具本体を人の頭にかけているか否かを判定でき、判定結果をレーザ加工機に送ることで保護具本体を人の頭にかけたときにレーザ光線の発射を許し、保護具本体を人の頭にかけていないときにレーザ光線の発射を禁止することが可能になる。
また、柔軟性材料で端面に埋込まれて設けられる釦スイッチを被覆する様にしたので、人の汗等で釦スイッチが誤作動するのを抑制でき、簡易な構造で確実に保護具本体を人の頭にかけているか否かを判定でき、判定結果をレーザ加工機に送ることで保護具本体を人の頭にかけたときにレーザ光線の発射を許し、保護具本体を人の頭にかけていないときにレーザ光線の発射を禁止することが可能になる。
【００３５】
本発明は以上に述べた実施形態に限られるものではなく、発明の要旨を逸脱しない範囲で各種の変更が可能である。
レーザ光線作業者用めがね又はゴーグル型保護具が付勢部材を備えた例で説明したがこれに限定されない。レーザ光線作業者用めがね又はゴーグル型保護具が付勢部材を備えていない場合、人がテンプル１１３をフロント１１２から折ることで保護具本体１１０の姿勢を離間姿勢にする。
【符号の説明】
【００３６】
Ｓ１  フロント端面
Ｓ２  テンプル端面
１００  レーザ光線作業者用めがね又はゴーグル型保護具
１１０  保護具本体
１１１  透明体
１１２  フロント
１１３  テンプル
１１４  揺動軸
１２０  付勢部材
１２１  弾性ばね
１３０  検知器
１３１  釦スイッチ
１３２  センサケーブル
１３３  駆動回路
１４０  被覆部材
１５０  通信回路
２００  レーザ加工機
２１０  レーザ発振器
２２０  レーザ導光ケーブル
２３０  加工ヘッド
２４０  通信器
【先行技術文献】
【特許文献】
【００３７】
【特許文献１】特開２０１０−９４７０８号
【特許文献２】特昭６１−１７７４３５号
【特許文献３】特開２０１２−４７８８８号
【図１】
2019181505.tif 000003
【図２】
2019181505.tif 000004
【図３】
2019181505.tif 000005
【図４】
2019181505.tif 000006